(57)【要約】【課題】  記録時における処理負担の増大を抑制しながら、記録レーザパワーの調整を円滑且つ適正に行う。【解決手段】  システムが間欠待機状態になると（ｔ１〜ｔ２）、Ｒ−ＯＰＣが実行され、記録レーザパワーＰｗｓが調整・再設定される。その後の記録動作は、再設定後の記録レーザパワーＰｗｓにて行われる（ｔ２〜ｔ３）。その後、再度、システムが間欠待機状態になると（ｔ３〜ｔ４）、Ｒ−ＯＰＣが実行され、記録レーザパワーＰｗｓが調整・再設定される。その後の記録動作は、再設定後の記録レーザパワーＰｗｓにて行われる（ｔ４〜ｔ５）。その後、かかる記録動作が、最長待ち時間Ｔｓを越えて継続されると（ｔ５）、記録動作が中断され、システムが記録待機状態に設定される（ｔ５〜ｔ６）。そして、Ｒ−ＯＰＣが実行され、記録レーザパワーＰｗｓが調整・再設定される。【選択図】    図６
2005310351.tif 000002
【特許請求の範囲】
【請求項１】
レーザ光を用いてディスク上に情報を記録再生する光ディスク装置において、
前記ディスクに対する試し書きによって記録レーザパワーを設定するレーザパワー設定手段と、前記設定されたレーザパワーを調整するレーザパワー調整手段とを備え、
前記レーザパワー調整手段は、記録動作の間欠待機期間中に、既に記録された記録情報を再生し、その再生信号の状態に応じて、記録レーザパワーの設定値を調整する、
ことを特徴とする光ディスク装置。
【請求項２】
請求項１において、
前記レーザパワー調整手段は、当該間欠待機期間の直前に記録された数ブロック分の記録情報を再生し、その再生信号の状態に応じて、記録レーザパワーの設定値を調整する、
ことを特徴とする光ディスク装置。
【請求項３】
請求項１または２において、
前記レーザパワー設定手段は、当該ディスクに対して要求される再生信号の目標値をもとに記録レーザパワーを設定し、
前記レーザパワー調整手段は、前記再生信号から得られるパラメータ値と前記目標値とを比較し、当該比較結果に応じて、記録レーザパワー設定値に対する調整値を決定する、
ことを特徴とする光ディスク装置。
【請求項４】
請求項３において、
前記レーザパワー設定手段は、当該ディスクに対して要求される再生信号の目標β値をもとに記録レーザパワーを設定し、
前記レーザパワー調整手段は、前記再生信号から得られるβ値と前記目標β値とを比較し、その大小関係に応じて、記録レーザパワー設定値に対し所定の調整値を加減する、
ことを特徴とする光ディスク装置。
【請求項５】
請求項４において、
前記レーザパワー調整手段は、前記再生信号から得られるβ値が前記目標β値よりも大きいとき前記記録レーザパワー設定値から一定の大きさを有する調整値を減じ、前記再生信号から得られるβ値が前記目標β値よりも小さいとき前記記録レーザパワー設定値に対し一定の大きさを有する調整値を加える。
【請求項６】
請求項１ないし５の何れかにおいて、
前記レーザパワー調整手段は、記録動作の継続時間が所定の設定時間を越えるとき、記録動作を中断し、前記レーザパワーの調整処理を実行する、
ことを特徴とする光ディスク装置。
【請求項７】
請求項６において、
記録動作を中断してレーザパワーの調整を行う場合には、レーザパワーの調整処理の終了に応じて記録動作に復帰させる、
ことを特徴とする光ディスク装置。
【発明の詳細な説明】
【技術分野】
【０００１】
本発明は、レーザ光を用いて情報を記録および／もしくは再生する光ディスク装置に関し、特に、レーザパワーの設定値を調整する際に用いて好適なものである。
【背景技術】
【０００２】
現在、ＣＤ（Compact Disc）やＤＶＤ（Digital Versatile Disc）等、様々な光記録メディアが商品化され普及している。これらの光記録メディアは、メディア毎に最適レーザパワーが相違するため、通常、記録／再生動作に先立って、レーザパワーの最適化処理がシステム側において行われる。
【０００３】
たとえば、ＣＤ−ＲやＤＶＤ−Ｒでは、β値を用いたレーザパワーの設定処理が行われる。すなわち、メディア上にフォーマットされた試し書き領域に対し、所定パワーにてテストデータを記録し、その再生ＲＦ信号（アシンメトリー）の振幅値からβ値を求め、このβ値が、当該ディスクにて要求される目標β値となるよう、記録レーザパワーを設定する。
【０００４】
なお、β値を用いた記録レーザパワーの設定方法としては、たとえば、以下に示す特許文献１の手法が知られている。
【特許文献１】特開２００２−２６０２３０号公報
【発明の開示】
【発明が解決しようとする課題】
【０００５】
ところで、上記の如く記録レーザパワーを設定した後に、システムの状態（メディア温度、等）が変化すると、メディアの記録感度等が初期状態から変化し、これに伴って、初期設定された記録レーザパワーが適正値から次第にずれるようになる。かかる問題を回避するために、通常、システム側においては、初期設定されたレーザパワーを、その時々のシステム状態に応じて適宜調整する処理が行われる。
【０００６】
たとえば、ＣＤ−ＲやＤＶＤ−Ｒに記録／再生を行うシステムでは、初期設定時の記録レーザパワーにおける反射光強度を光検出器の振幅値レベルとして保持し、記録動作中の振幅値レベルと初期設定時の振幅値レベルを比較しながら、両レベルが接近するよう、記録レーザパワーの設定値を動的に変化させるようにしている。
【０００７】
しかしながら、この場合には、記録動作に並行して、レーザパワーの調整処理を実行する必要があるため、もともと煩雑であった記録動作時の処理シーケンスをより一層煩雑化させ、マイコンの処理負担を一層増大させるとの問題が生じる。
【０００８】
また、ＣＤ−ＲやＤＶＤ−Ｒ等、記録層材料として有機色素材料を用いる追記型メディアでは、記録層の感度がレーザ光の波長に依存するため、半導体レーザの温度変化に伴って出射レーザ光の波長が変動すると、同一強度であっても波長の相違によって記録状態が相違するとの現象が生じ、このため、上記の如く、反射光の振幅レベルを監視してレーザパワーを調整する場合には、レーザパワーを適正に調整することができないとの問題が生じる。
【０００９】
そこで、本発明は、記録動作時における処理負担の増大を抑制しながら、記録レーザパワーの調整を円滑且つ適正に行い得る、光ディスク装置を提供することを課題とする。
【課題を解決するための手段】
【００１０】
上記課題に鑑み本発明は、それぞれ以下の特徴を有する。
【００１１】
第１の発明は、レーザ光を用いてディスク上に情報を記録再生する光ディスク装置において、前記ディスクに対する試し書きによって記録レーザパワーを設定するレーザパワー設定手段と、前記設定されたレーザパワーを調整するレーザパワー調整手段とを備え、前記レーザパワー調整手段は、記録動作の間欠待機期間中に、既に記録された記録情報を再生し、その再生信号の状態に応じて、記録レーザパワーの設定値を調整することを特徴とする。
【００１２】
第２の発明は、前記第１の発明に係る光ディスク装置において、前記レーザパワー調整手段は、当該間欠待機期間の直前に記録された数ブロック分の記録情報を再生し、その再生信号の状態に応じて、記録レーザパワーの設定値を調整することを特徴とする。
【００１３】
第３の発明は、前記第１または第２の発明に係る光ディスク装置において、前記レーザパワー設定手段は、当該ディスクに対して要求される再生信号の目標値をもとに記録レーザパワーを設定し、前記レーザパワー調整手段は、前記再生信号から得られるパラメータ値と前記目標値とを比較し、当該比較結果に応じて、記録レーザパワー設定値に対する調整値を決定することを特徴とする。
【００１４】
第４の発明は、前記第３の発明に係る光ディスク装置において、前記レーザパワー設定手段は、当該ディスクに対して要求される再生信号の目標β値をもとに記録レーザパワーを設定し、前記レーザパワー調整手段は、前記再生信号から得られるβ値と前記目標β値とを比較し、その大小関係に応じて、記録レーザパワー設定値に対し所定の調整値を加減することを特徴とする。
【００１５】
第５の発明は、前記第４の発明に係る光ディスク装置において、前記レーザパワー調整手段は、前記再生信号から得られるβ値が前記目標β値よりも大きいとき前記記録レーザパワー設定値から一定の大きさを有する調整値を減じ、前記再生信号から得られるβ値が前記目標β値よりも小さいとき前記記録レーザパワー設定値に対し一定の大きさを有する調整値を加える。
【００１６】
第６の発明は、前記第１ないし第５の発明に係る光ディスク装置において、前記レーザパワー調整手段は、記録動作の継続時間が所定の設定時間を越えるとき、記録動作を中断し、前記レーザパワーの調整処理を実行することを特徴とする。
【００１７】
第７の発明は、前記第６の発明に係る光ディスク装置において、前記レーザパワー調整手段は、記録動作を中断してレーザパワーの調整を行う場合、レーザパワーの調整処理の終了に応じて記録動作に復帰させることを特徴とする。
【００１８】
なお、本発明において、“間欠待機期間”とは、システムが、１シーケンスの記録動作から次の１シーケンスの記録動作に移行する間の記録待機状態にある期間のことを意味している。
【００１９】
本発明の特徴は、以下に示す実施の形態の説明により更に明らかとなろう。ただし、以下の実施の形態は、あくまでも、本発明の一つの実施形態であって、本発明ないし各構成要件の用語の意義は、以下の実施の形態に記載されたものに制限されるものではない。
【発明の効果】
【００２０】
本発明によれば、記録動作の間欠待機期間中に、記録レーザパワーの調整処理を行うものであるから、記録動作と並行してレーザパワーの調整処理が行われることはなく、もって、記録時における処理シーケンスの煩雑化を回避することができ、マイコンの処理負担を軽減することができる。
【００２１】
また、本発明によれば、それまでの記録動作によって記録済みの情報を再生し、その再生信号の状態から記録レーザパワーを調整するものであるから、たとえば、レーザ光の波長シフトによって記録層の感度が変化するような場合にも、適正なパワー調整値を設定することができ、もって、記録特性を高めながら、円滑に、記録パワーの調整を行うことができる。
【００２２】
特に、第２の発明のように、間欠待機期間の直前に記録された数ブロック分の記録情報を再生することで、記録レーザパワーの調整を行うようにすれば、次の記録動作に対して時間的・位置的に接近した記録情報の再生信号から、次の記録動作時に適用されるべきレーザパワーの調整値を設定することができ、よって、次の記録動作時の調整値を誤差なく設定することができるようになる。
【００２３】
また、第６の発明のように、記録動作の継続時間が所定の設定時間を越えるとき、記録動作を中断し、前記レーザパワーの調整処理を実行するようにすれば、先の記録レーザパワーが不所望に維持され続ける状況を回避することができ、もって、記録レーザパワーの設定値を円滑に調整することができるようになる。
【００２４】
この他、本発明の効果は、以下に示す実施の形態によって、さらに明らかとなろう。
【発明を実施するための最良の形態】
【００２５】
以下、本発明の実施の形態につき図面を参照して説明する。
【００２６】
まず、図１に実施の形態に係るディスク（ＤＶＤ＋Ｒ）の構成を示す。図示の如く、ディスク１００は、その径方向に、インナードライブエリア、リードインエリア、データエリア、リードアウトエリア、アウタードライブエリアに領域分割されている。さらに、インナードライブエリアとアウタードライブエリアは種々のゾーンに区分されており、このうち、インナーディスクテストゾーンおよびアウターディスクテストゾーンを用いて、レーザパワー設定（ＯＰＣ：Optimum Write Power Control）が行われる。
【００２７】
また、ディスク１００には、内周から外周に向かって螺旋状のグルーブが形成されており、このグルーブに対してデータの記録が行われる。ここで、グルーブは、径方向に蛇行（ウォブル）しており、このウォブルによってアドレス情報が保持されている。すなわち、ＡＤＩＰ（Address in pre-groove）と呼ばれる位相変調区間が、単調蛇行区間中に一定周期で挿入されており、かかる位相変調区間をビームが走査するとき、その反射光強度の変化からグルーブ上のアドレス情報が読み取られ再生される。また、リードイン領域のＡＤＩＰには、当該ディスクに対する種々の制御データが位相変調によって記録されており、その中に、当該ディスクを製造したディスク製造業者の識別情報（マニュファクチャＩＤ）が含まれている。
【００２８】
図２に、実施の形態に係る光ディスク装置の構成を示す。
【００２９】
図示の如く、光ディスク装置は、ＥＣＣエンコーダ１０１と、変調回路１０２と、レーザ駆動回路１０３と、レーザパワー調整回路１０４と、光ピックアップ１０５と、信号増幅回路１０６と、復調回路１０７と、ＥＣＣデコーダ１０８と、サーボ回路１０９と、ＡＤＩＰ再生回路１１０と、コントローラ１１１から構成されている。
【００３０】
ＥＣＣエンコーダ１０１は、入力された記録データに誤り訂正符号を付加し、変調回路１０２へと出力する。変調回路１０２は、入力された記録データに所定の変調を施し、さらに記録信号を生成してレーザ駆動回路１０３に出力する。レーザ駆動回路１０３は、記録時には変調回路１０２からの記録信号に応じた駆動信号を半導体レーザ１０５ａに出力し、再生時には一定強度のレーザ光を出射するための駆動信号を半導体レーザ１０５ａに出力する。ここで、レーザパワーは、レーザパワー調整回路１０４によって調整・設定されたレーザパワーに設定される。
【００３１】
レーザパワー調整回路１０４は、記録および再生時のレーザパワーを初期設定するとともに、設定したレーザパワーを、コントローラ１１１から供給される調整値に応じて適宜調整し、これをレーザ駆動回路１０３に供給する。ここで、レーザパワーの初期設定は、β法に従って行われる。すなわち、コントローラ１１１から当該ディスクのβ値（βtarget）を取得し、取得したβtargetをもとに、当該ディスクに対する記録レーザパワーを設定する。なお、設定処理の詳細については後述する。
【００３２】
光ピックアップ１０５は、半導体レーザ１０５ａおよび光検出器１０５ｂを備え、レーザ光をグルーブ上に収束させることにより、ディスクに対するデータの書き込み／読み出しを行う。なお、光ピックアップ１０５は、この他、グルーブに対するレーザ光の照射状態を調整するための対物レンズアクチュエータと、半導体レーザ１０５ａから出射されたレーザ光を対物レンズに導き、且つ、ディスク１００からの反射光を光検出器１０５ｂに導くための光学系等を備えている。
【００３３】
信号増幅回路１０６は、光検出器１０５ｂから受信した信号を増幅および演算処理して各種信号を生成し、これを対応する回路に出力する。復調回路１０７は、信号増幅回路１０６から入力された再生ＲＦ信号を復調して再生データを生成し、ＥＣＣデコーダ１０８に出力する。ＥＣＣデコーダ１０８は、復調回路１０７から入力された再生データに誤り訂正を施し、後段回路に出力する。
【００３４】
サーボ回路１０９は、信号増幅回路１０６から入力されたフォーカスエラー信号およびトラッキングエラー信号からフォーカスサーボ信号およびトラッキングサーボ信号を生成し、光ピックアップ１０５の対物レンズアクチュエータに出力する。また、信号増幅回路１０６から入力されたウォブル信号からモータサーボ信号を生成し、ディスク駆動モータに出力する。さらに、コントローラ１１１から供給されるチルトエラー信号からチルトサーボ信号を生成し、光ピックアップ１０５の対物レンズアクチュエータに出力する。
【００３５】
ＡＤＩＰ再生回路１１０は、信号増幅回路１０６から入力されたウォブル信号からアドレス情報および各種コントロール情報を再生し、これらをコントローラ１１１に出力する。
【００３６】
コントローラ１１１は、内蔵メモリに各種データを格納するとともに、あらかじめ設定されたプログラムに従って、各部を制御する。なお、コントローラ１１１には、マニュファクチャＩＤと目標β値（βtarget）とを対応付けたβ値テーブルが保持されている。コントローラ１１１は、当該ディスクのリードイン領域（ＡＤＩＰ）から取得したマニュファクチャＩＤと、上記β値テーブルとを比較し、対応するβtargetを読み出してレーザパワー調整回路１０４に出力する。これをもとに、レーザパワー調整回路１０４は、記録レーザパワーの初期設定を行う。
【００３７】
次に、上記レーザパワー調整回路１０４におけるレーザパワーの設定動作（ＯＰＣ）について説明する。
【００３８】
まず、図３にβ値の算出方法を示す。図示の如く、β値は、再生信号のアシンメトリーをもとに算出される。すなわち、β値は、アシンメトリーの振幅値Ａ１、Ａ２とオフセット値ＯＳから、
β＝｛（A1−OS）−（A2＋OS）｝／｛（A1−OS）＋（A2＋OS）｝  …（１）
を演算して求められる。
【００３９】
図４に、記録レーザパワーＰｗｓの設定方法（ＯＰＣ）を示す。図示の如く、記録レーザパワーＰｗｓは、予め決められた２種のレーザパワー（Ｐｗ１、Ｐｗ２）にて上記インナーディスクテストゾーンまたはアウターディスクテストゾーンの何れかにテストデータを記録し、これを再生したときのβ値（β１、β２）に基づいて求められる。すなわち、β値（β１、β２）から線形直線を求め、この線形直線と、上記コントローラ１１１から供給される当該ディスクのβtargetとの交点を求め、求めた交点に対応するレーザパワーを当該ディスクの記録レーザパワーＰｗｓとする。
【００４０】
次に、上記ＯＰＣにて設定された記録レーザパワーＰｗｓを記録動作途中に調整する調整動作について説明する。
【００４１】
図５に、かかる調整動作の処理フローを示す。
【００４２】
記録動作の開始要求があると（Ｓ１０１）、コントローラ１１１は、上記の如くして、当該ディスクのβtargetをβ値テーブルから取得し、これを内蔵メモリに格納するとともに、レーザパワー調整回路１０４に出力する。これを受けて、レーザパワー調整回路１０４は、上記の如くして、当該ディスクに対する記録レーザパワーＰｗｓを設定する（Ｓ１０２）。そして、かかるレーザパワーＰｗｓにて記録動作が開始される（Ｓ１０３）。
【００４３】
しかして、記録動作が開始されると、コントローラ１１１は、内蔵タイマーＴをゼロリセットするとともに、最長待ち時間ＴＳをＴｓ＝ｎにセットする（Ｓ１０４）。そして、内蔵タイマーＴが１カウントアップされると（Ｓ１０５）、そのタイミングにて、記録動作が間欠待機状態、すなわち、１シーケンスの記録動作から次の１シーケンスの記録動作に移行する間の記録待機状態にあるかを判別する（Ｓ１０６）。
【００４４】
ここで、記録動作が間欠待機状態にあれば（Ｓ１０６：Ｙ）、コントローラ１１１は、その直前に記録した記録位置から記録データを所定ブロック数だけ読み出し、その再生信号から当該ブロックに対するβ値（βｍ）を算出する（Ｓ１０７）。そして、算出したβｍと、上記Ｓ１０２にて取得したβｔとを比較し、βｍ＞βｔであれば（Ｓ１０８：Ｙ）、記録レーザパワーの設定値Ｐｗｓを一定値ΔＰｗだけ減少させる調整値をレーザパワー調整回路１０４に出力する。
【００４５】
これを受けて、レーザパワー調整回路１０４は、現時点における記録レーザパワーの設定値ＰｗｓをΔＰｗだけ減少させ、これを、新たな記録レーザパワーＰｗｓとする。これにより、光ピックアップ１０５から出射される記録レーザパワーが一定レベルだけ減少され、当該間欠待機後の記録動作は、このレーザパワーにて記録動作が行われる（Ｓ１０９）。
【００４６】
一方、Ｓ１０７にて算出したβｍと、上記Ｓ１０２にて取得したβｔとを比較した結果、βｍ＜βｔであれば（Ｓ１１０：Ｙ）、コントローラ１１１は、記録レーザパワーの設定値Ｐｗｓを一定値ΔＰｗだけ増加させる調整値をレーザパワー調整回路１０４に出力する。
【００４７】
これを受けて、レーザパワー調整回路１０４は、現時点における記録レーザパワーの設定値ＰｗｓをΔＰｗだけ増加させ、これを、新たな記録レーザパワーＰｗｓとする。これにより、光ピックアップ１０５から出射される記録レーザパワーが一定レベルだけ増加され、当該間欠待機後の記録動作は、このレーザパワーにて記録動作が行われる（Ｓ１１１）。
【００４８】
しかして、記録レーザパワーが再設定されると、Ｓ１０４に戻り、コントローラ１１１は、内蔵タイマーのゼロリセットと、最長待ち時間ＴＳの再設定処理を行う。そして、上記と同様にして、間欠待機時間を利用したレーザパワーの調整動作（Ｒ−ＯＰＣ）を実行する。
【００４９】
なお、Ｓ１０５にて内蔵タイマーＴを１カウントアップしたタイミングで、記録動作が間欠待機状態にない場合（Ｓ１０６：Ｎ）には、コントローラ１１１は、内蔵タイマーＴのカウント値と最長待ち時間Ｔｓとを比較し、Ｔ＞Ｔｓであれば（Ｓ１１２：Ｙ）、記録動作を中断し（Ｓ１１３）、システムを間欠待機状態に設定する。そして、Ｓ１０７以降の処理にて記録レーザパワーの再設定を行い、その終了に応じて（Ｓ１１１、Ｓ１０９またはＳ１１０：Ｎ）、システムを記録動作に復帰させ、その後、Ｓ１０４にて、内蔵タイマーのゼロリセットと、最長待ち時間Ｔｓの再設定を行う。なお、Ｓ１１２にて、Ｔ≦Ｔｓであれば、Ｓ１０５に戻り、以降の処理を実行する。
【００５０】
図６に、上記処理フローによるレーザパワー調整動作のタイミングチャートを示す。
【００５１】
システムに記録要求が入力されると、ＯＰＣが実行され、記録レーザパワーＰｗｓが初期設定される（０〜ｔ０）。記録開始後は、かかる記録レーザパワーＰｗｓにて記録が行われる（ｔ０〜ｔ１）。
【００５２】
しかる後、システムが間欠待機状態になると（ｔ１〜ｔ２）、Ｒ−ＯＰＣが実行され、上記の如く、記録レーザパワーＰｗｓが調整・再設定される。その後の記録動作は、再設定後の記録レーザパワーＰｗｓにて行われる（ｔ２〜ｔ３）。その後、再度、システムが間欠待機状態になると（ｔ３〜ｔ４）、Ｒ−ＯＰＣが実行され、記録レーザパワーＰｗｓが調整・再設定される。その後の記録動作は、再設定後の記録レーザパワーＰｗｓにて行われる（ｔ４〜ｔ５）。
【００５３】
その後、かかる記録動作が、最長待ち時間Ｔｓを越えて継続されると（ｔ５）、記録動作が中断され、システムが記録待機状態に設定される（ｔ５〜ｔ６）。そして、Ｒ−ＯＰＣが実行され、記録レーザパワーＰｗｓが調整・再設定される。そして、記録レーザパワーＰｗｓが調整・再設定が終了すると（ｔ６）、システムは、記録動作に復帰する。以後、同様にして、Ｒ−ＯＰＣが実行され、記録レーザパワーが調整・再設定される（ｔ６〜ｔ８、…）。
【００５４】
以上、本実施の形態によれば、記録動作の間欠待機期間中に、Ｒ−ＯＰＣを行うものであるから、記録動作と並行してＲ−ＯＰＣが行われることはなく、もって、記録時における処理シーケンスの煩雑化を回避することができる。
【００５５】
また、本実施の形態によれば、それまでの記録動作によって記録済みの情報を再生し、その再生信号のβ値から記録レーザパワーを調整（Ｒ−ＯＰＣ）するものであるから、たとえば、レーザ光の波長シフトによって記録層の感度が変化するような場合にも、適正なパワー調整値を設定することができ、もって、記録特性を高めながら、円滑に、記録パワーの調整を行うことができる。
【００５６】
特に、本実施の形態では、間欠待機期間の直前に記録された数ブロック分の記録情報を再生することにより、記録レーザパワーの調整（Ｒ−ＯＰＣ）を行うようにしたことから、次の記録動作に対して時間的・位置的に接近した記録情報のβ値から、次の記録動作時に適用されるレーザパワーの調整値を設定することができ、もって、次の記録動作時の調整値を誤差なく適正に設定することができる。
【００５７】
また、本実施の形態では、記録動作の継続時間Ｔが最長待ち時間Ｔｓを越える場合、記録動作を中断し、Ｒ−ＯＰＣを実行するようにしたことから、先の記録レーザパワーが不所望に維持され続ける状況を回避することができ、もって、記録レーザパワーの設定値を円滑に調整することができる。
【００５８】
さらに、本実施の形態では、βｔとβｍとを比較し、両者の大小関係から、一律に、補正値ΔＰｗを設定値Ｐｗｓに加減するようにしたことから、調整時の処理を簡素化することができ、もって、レーザパワー調整時の処理負担を軽減することができる。
【００５９】
なお、上記実施の形態では、記録動作の継続時間が最長待ち時間を越えたとき、記録動作を強制的に中断して、Ｒ−ＯＰＣを実行するようにしたが、これに代えて、図７に示す如く、記録動作の間欠待機時にのみＲ−ＯＰＣを実行するようにしてもよい。すなわち、図７の処理フローでは、図６の処理フローにおけるＳ１１２とＳ１１３が省略されており、Ｓ１０６にて動作状態が間欠待機状態にないと判別されると、Ｓ１０５に戻り、タイマーのカウントアップが行われる。かかる図７の処理フローにおいても、間欠待機期間において適宜レーザパワーの調整が行われるため、レーザパワーの適正化を図ることができる。ただし、この場合、上記実施の形態に比べ、レーザパワーの適正化に幾分の時間遅延が生じる惧れがある。
【００６０】
また、上記実施の形態では、メディアとしてＤＶＤ＋Ｒディスクを用いる例を示したが、これ以外のメディアに対応した光ディスク装置に本発明を適用することも勿論可能である。この場合、メディアの変更に応じて、レーザパワーの設定・調整手法を適宜変更する必要がある。
【００６１】
また、上記実施の形態では、βｔとβｍとを比較し、両者の大小関係から、一律に、補正値ΔＰｗを設定値Ｐｗｓに加減するようにしたが、たとえば、βｔとβｍの差に応じた大きさの調整値を求め、これを設定値Ｐｗｓに加減するようにしても良く、さらに、これ以外の調整方法を採用するようにしても良い。
【００６２】
さらに、上記では、コントローラ１１１にβ値テーブルを保持させておき、このテーブルから、当該ディスクのβtargetを取得するようにしたが、ディスクのリードイン（ＡＤＩＰ）から当該ディスクのβtargetを直接取得し、これを用いて、レーザパワーの設定・調整を行うようにしても良い。
【００６３】
この他、本発明の実施の形態は、特許請求の範囲に示された技術的思想の範囲内において、適宜、種々の変更が可能である。
【図面の簡単な説明】
【００６４】
【図１】実施の形態に係る光ディスクの構成を示す図
【図２】実施の形態に係る光ディスク装置の構成を示す図
【図３】実施の形態に係るβ値の算出方法を説明する図
【図４】実施の形態に係るレーザパワーの設定方法を説明する図
【図５】実施の形態に係るレーザパワー調整処理を示すフローチャート
【図６】実施の形態に係るレーザパワー調整時のタイミングチャート
【図７】変更例に係るレーザパワー調整処理を示すフローチャート
【符号の説明】
【００６５】
１０３  レーザ駆動回路
１０４  レーザパワー調整回路
１０５  光ピックアップ
１０６  信号増幅回路
１１０  ＡＤＩＰ再生回路
１１１  コントローラ
【図１】
2005310351.tif 000003
【図２】
2005310351.tif 000004
【図３】
2005310351.tif 000005
【図４】
2005310351.tif 000006
【図５】
2005310351.tif 000007
【図６】
2005310351.tif 000008
【図７】
2005310351.tif 000009